(57)【要約】  マルチプルアンテナの信号伝達を制御する方法が開示される。複数のアンテナからの伝達信号が組み合わさって指向性のビームになるように信号パラメータを調整することを含む。伝達信号が方向性を持って発信される継続時間は、平均ＥＩＲＰが規定の限度を超えないように制御される。【選択図】  図５
2009507430.tif 000002
【特許請求の範囲】
【請求項１】
複数のアンテナからの伝送信号が組み合わさって指向性ビームになるように、信号パラメータを調整する過程と、
平均ＥＩＲＰが既定の限界を超えないように、伝送信号を調整する継続時間を制御する過程と、
を含むことを特徴とするマルチプルアンテナ信号伝送を制御する方法。
【請求項２】
前記ビームは、受信機に向けて送信されることを特徴とする請求項１に記載の方法。
【請求項３】
前記複数のアンテナからの伝送信号が、複数の受信機の内異なる１つに向けて送信されるビームになるように信号パラメータを調整する過程と、
前記ビームの平均ＥＩＲＰが前記既定の限界を超えないように前記伝送信号が方向付けて発信される継続時間を制御する過程と、
をさらに含むことを特徴とする特徴とする請求項２に記載の方法。
【請求項４】
前記複数のアンテナのそれぞれが伝送信号を放射し、前記放射伝送信号の組み合わせがビームを作ることを特徴とする請求項１に記載の方法。
【請求項５】
前記マルチプルアンテナが１つの共通送信機に設置されていることを特徴とする請求項１に記載の方法。
【請求項６】
前記ビームを形成するのに使用するアンテナの数が増えた時、アンテナに入る伝送信号の伝送電力の合計は、増加しないことを特徴とする請求項１に記載の方法。
【請求項７】
前記信号パラメータは、前記アンテナの伝送信号間の相対位相を調整することによって調整されることを特徴とする請求項１に記載の方法。
【請求項８】
前記信号パラメータは、前記アンテナの伝送信号間の相対振幅を調整することによって調整されることを特徴とする請求項１に記載の方法。
【請求項９】
前記継続時間が、伝送信号間の相対位相が維持される時間を制御することによって制御されることを特徴とする請求項１に記載の方法。
【請求項１０】
前記伝送信号の間のＮ個の相対位相設定及び前記継続時間が、伝送信号間の前記相対位相設定のそれぞれが維持される時間を制御することによって制御される過程をさらに含むことを特徴とする請求項１に記載の方法。
【請求項１１】
方向付けされた前記複数のアンテナは、利用可能なアンテナのサブセットであり、前記アンテナのサブセットは他のアンテナのサブセットに優先して選択され、その理由は前記選択されたサブセットは特定の受信機に対し他の利用可能なアンテナのサブセットよりも良い伝送リンクを提供するからであることを特徴とする請求項１に記載の方法。
【請求項１２】
前記選択されたアンテナのサブセットは、伝送ダイバーシチを通して選択されることを特徴とする請求項１１に記載の方法。
【請求項１３】
前記アンテナの第２サブセットが他のアンテナのサブセットに優先して選択されるのは、前記選択された第２サブセットが特定の第２受信機に対し他の利用可能なアンテナのサブセットよりも良い伝送リンクを提供するからであるところの、利用可能なアンテナの前記第２サブセットを選択する過程と、
アンテナの第２サブセットからの第２伝送信号が組み合わさって第２指向性ビームになるように信号パラメータを調整する過程と、
平均ＥＩＲＰが既定の限界を超えないように、前記第２伝送信号が調整される継続時間を制御する過程と、
をさらに含むことを特徴とする請求項１１に記載の方法。
【請求項１４】
伝送デューティサイクルを設定する過程と、
複数のアンテナからの伝送信号が組み合わさって、既定の限界を超えないような平均ＥＩＲＰを持つ指向性ビームになるように、前記伝送デューティサイクルに基づき信号パラメータを調整する過程と、
を含むことを特徴とするマルチプルアンテナ信号伝送を制御する方法。
【請求項１５】
前記信号パラメータが、前記アンテナの伝送信号間の相対位相を調整することによって調整されることを特徴とする請求項１４に記載の方法。
【請求項１６】
前記デューティサイクルが、伝送信号間の相対位相が維持される時間を制御することによって制御されることを特徴とする請求項１４に記載の方法。
【請求項１７】
伝送信号間のＮ個の相対位相設定、及び前記デューティサイクルが、伝送信号間の前記相対位相設定のそれぞれが維持される時間を制御するする過程をさらに含むことを特徴とする請求項１４に記載の方法。
【請求項１８】
信号パラメータの調整は、前記伝送デューティサイクルの「アクティブ」期間の間は指向性ビームを作ること、及び前記伝送デューティサイクルの「非アクティブ」期間の間は伝送を止めることを含むことを特徴とする請求項１４に記載の方法。
【請求項１９】
メッシュネットワークのトランシーバ間の伝送信号を制御する方法であって、
複数のアンテナからの伝送信号が組み合わさって、特定の他のトランシーバに向かうビームになるように、それぞれのトランシーバが信号パラメータを調整する過程と、
平均ＥＩＲＰが既定の限界を超えないように、前記伝送信号が方向付けされて発信される継続時間を制御する過程と、
を含むことを特徴とする方法。
【請求項２０】
前記継続時間が、それぞれのトランシーバが他のトランシーバに伝送する時間間隔を割り当てる伝送スケジューラによって制御され、前記継続時間は伝送に割り当てられる時間間隔の数によって決定されることを特徴とする請求項１９に記載の方法。
【請求項２１】
前記信号パラメータが、前記アンテナの伝送信号間の相対位相を調整することによって調整されることを特徴とする請求項１９に記載の方法。
【請求項２２】
前記信号パラメータが、前記アンテナの伝送信号間の相対振幅を調整することによって調整されることを特徴とする請求項１９に記載の方法。
【請求項２３】
前記継続時間が、伝送信号間の相対位相が維持される時間を制御することにより制御されることを特徴とする請求項１９に記載の方法。
【請求項２４】
伝送信号間のＮ個の相対位相設定、及び前記継続時間が、伝送信号間の前記相対位相設定が維持される時間を制御することにより制御される過程をさらに含むことを特徴とする請求項１９に記載の方法。
【請求項２５】
方向付けされた前記複数のアンテナが、利用可能なアンテナのサブセットであり、
前記アンテナのサブセットが、他の利用可能なアンテナのサブセットより良い伝送品質特性を持つビームを提供するために選択されることを特徴とする請求項１９に記載の方法。
【請求項２６】
複数のアンテナと、
複数のアンテナからの伝送信号が組み合わさって指向性ビームになるように、前記アンテナへの入力信号の信号パラメータを調整することによって、前記アンテナから放射される信号の全体によって生じるアンテナパターンを制御する手段と、
平均ＥＩＲＰが規定の限界を超えないように、前記伝送信号が方向付けられて発信される継続時間を制御する手段と、
を含むことを特徴とするトランシーバ。
【請求項２７】
前記複数のアンテナからの伝送信号が複数の受信機のうち１つに向かうビームを形成するように、信号パラメータを調整する手段と、
前記ビームの平均ＥＩＲＰが既定の限界を超えないように、前記伝送信号が方向付けられて発信される継続時間を制御する手段と、
をさらに含むことを特徴とする請求項２６に記載のトランシーバ。
【請求項２８】
前記継続時間が、伝送信号間の相対位相が維持される時間を制御することによって制御されることを特徴とする請求項２７に記載のトランシーバ。
【発明の詳細な説明】
【技術分野】
【０００１】
本発明は、全般的には通信システムに関する。より詳細には、マルチプルアンテナによって送信される信号を制御することにより、放射信号パワーレベルを制御するための方法及び装置に関する。
【背景技術】
【０００２】
超広帯域（ＵＷＢ）変調は、非常に広い変調帯域を使ってデータを送ることによって、非常に低出力、高データ速度の無線通信を提供する。図１は、屋内ワイヤレス通信に使われるＵＷＢ通信リンクの標準的な適用例を示す。いくつかのトランシーバ、例えば、トランシーバ１１０、１２０、１３０、１４０はネットワーク化され、トランシーバ１１０、１２０、１３０、１４０の間で、高帯域幅通信をさせる。トランシーバ１１０、１２０、１３０、１４０は、例えば、高解像度テレビ（ＨＤＴＶ）モニタを、そしてそれはデジタルビデオレコーダ（ＤＶＲ）、デジタルビデオディスク（ＤＶＤ）プレーヤ及びコンピュータデバイスのような他の機器とネットワーク化されているものを備えることができる。
【０００３】
連邦通信委員会（ＦＣＣ）は、ＵＷＢ無線が３．１ＧＨｚから１０．６ＧＨｚの周波数範囲を合法的に使用できるということを指定した。ＵＷＢ通信の所要送信電力ついては、最大平均伝送実効等方放射電力（ＥＩＲＰ）はどんな伝送方向に対しても〜４１．２５ｄＢｍ／ＭＨｚである。さらに、与えられた分解能帯域幅（ＲＢＷ）にはＵＷＢ信号に対して最大出力規制がある。更に詳細には、５０ＭＨｚより小さいＲＢＷに対しては、制限出力を１０＊ｌｏｇ１０（ＲＢＷ／５０）に抑えるように要求される。
【０００４】
ＵＷＢ無線に要求される伝送電力レベルが低下したため、ＦＣＣが定めたルールを越えない範囲でＵＷＢ伝送信号の送信電力を最大化することが望ましい。一般的に、ＳＮＲ及び関連する通信伝送信号品質パラメータは、伝送信号電力を増加させると改善される。
【０００５】
ＦＣＣの放射電力に関する要件を超えることなく、ＵＢＷネットワーク環境で高出力の伝送信号を提供するための方法及び装置を持つことが望ましい。
【発明の開示】
【０００６】
（発明の概要）
本発明の実施形態は、マルチプルアンテナ信号伝送を制御する方法を含む。この方法は、複数のアンテナからの伝送信号が組み合わさって指向性ビームになるように信号パラメータを調整することを含む。伝送信号を調整する継続時間は、平均ＥＩＲＰが規定の限界を超えないように制御される。
【０００７】
本発明の別の実施形態は、マルチプルアンテナ信号伝送を制御する別の方法を含む。この方法は伝送デューティサイクルを設定することを含む。複数のアンテナからの伝送信号が組み合わさって規定の限界を超えない平均ＥＩＲＰを持つ指向性のビームになるように、伝送デューティサイクルに基づいた信号パラメータが調整される。
【０００８】
別の実施形態は、メッシュネットワークのトランシーバ間の伝送信号を制御する方法を含む。この方法は、複数のアンテナからの伝送信号が組み合わさって特定の他のトランシーバに向かうビームになるように、それぞれのトランシーバが信号パラメータを調整することを含む。平均ＥＩＲＰが規定の限界を超えないように、伝送信号が調整される継続時間が制御される。
【０００９】
本発明の他の態様及び利点は、後述の詳細な説明と、発明の本質を実施例によって例示する添付図面とが一体となって明らかにするだろう。
【００１０】
（詳細な説明）
本発明は、ビームを形成するマルチプル伝送信号の時間平均ＥＩＲＰを制御する装置及び方法を含む。このビームは、特定の方向にビームが向けられて送信される「アクティブ」な継続時間と、ビームが消えているかどこか他へ向けられて送信される「非アクティブ」な継続時間とを含むデューティサイクルをもって作られる。このビームは、マルチプル受信機又はトランシーバの１つに向けられることができる。ビームによって放射される時間平均伝送ＥＩＲＰのレベルは、デューティサイクルによって既定のレベルに制限することができる。マルチプル伝送信号の制御された時間平均ＥＩＲＰを含むマルチプルトランシーバをメッシュネットワークに含めることができる。
【００１１】
ＵＷＢ送信機の伝送電力を制限する規制が定められている。その規制は、時間平均放射伝送電力及びピーク放射伝送電力の制限値を含む。しかしながら、平均電力規制はデューティサイクルと無関係である。例えば、もし、伝送信号がその時間の１００％で発信され、かつ、平均電力の規制に見合うならば、同じ信号を５０％のデューティサイクルで送信すると「アクティブ」期間の間２倍の平均電力をもつことができ、そしてなお、ピーク電力規制を超えない限り規制に見合う。
【００１２】
さらに、電力規制は、送信機の全放射パターンに対して満たされなければならない。この（ＥＩＲＰ）は送信アンテナからのすべての方位及び仰角に対して規制電力限界値以内に収まらなければならない。
【００１３】
図２はマルチプルアンテナ送信機及び複数の目標となる受信機を示す図である。送信機２１０はマルチプルアンテナＡＮＴ１からＡＮＴＮを含む。アンテナはそれぞれ１つの信号を送り、送信信号の組み合わせが１つのビームになるように合成される。ＥＩＲＰは、ビームが形成されるとき、送信機からの方向に応じて変化する。
【００１４】
図２は、いくつかの受信可能な受信機２２０、２３０、２４０と通信するように形成される典型的なビーム２１５、２２５、２３５を示す。より詳細には、第１のビーム２１５は第１の受信機２２０と通信するときに送信機２１０によって形成され、第２のビームは第２の受信機２３０と通信するときに送信機２１０によって形成され、そして第３のビーム２３５は第３の受信機２４０と通信するときに送信機２１０によって作られる。このビームは１度に１つの受信機を目標とする。このビームは受信機２２０、２３０、２４０のどれに対しても受信信号を高めるように向けられることができる。図２のビーム２１５、２２５、２３５の形は、ビームを目で見えるようにすることを意図して描かれている。図２に示された形は実際の物ではない。
【００１５】
ビーム形成は、特定の受信機に対するアンテナパターンの方向収束を含む。他の受信機に与える信号電力（干渉）をより小さくする一方で、ビーム形成の指向的性質は目標とされた受信機に対する受信信号電力を増加させるので、ビーム形成は有利である。
【００１６】
送信機２１０はビーム方向調整制御を含む。図２示すように、ビーム調整制御は、複数のアンテナの１又はそれ以上の送信チェーンに含まれる移相器２５０によって提供されうる。移相器によって制御される位相（信号パラメータの１形態）を調整することは、マルチプルアンテナによって発生する指向性ＥＩＲＰパターンが変化する原因となる。このビームが特定の方向に設定される継続時間をうまく制御するには、ビームのメインローブのものを含んだ時間平均ＥＩＲＰを制御する。特定の位相に移相器が設定される継続時間は、その結果として生じるＥＩＲＰがある方向においてより高くなり、かつ、受信電力が目標とする１つ又は複数の受信機でより高くなるような継続時間に設定される。従って、ビーム形成パターンが維持される継続時間を設定することによって既定の平均ＥＩＲＰを維持する一方、特定の方向に対し（デューティサイクルによって定められる）継続時間中伝送ＥＩＲＰは増えうる。ビーム形成は、アンテナ入力で信号の位相を調整すること以外の方法で実施することができる。例えば、伝送信号の位相調整は、トランシーバの送信機の中にあるベースバンド信号プロセッサで起こすことができる。他の好適実施形態は、デューティサイクルの「アクティブ」な継続時間の間形成されるビームと、デューティサイクルの残り時間の間完全に弱められる又は消されるアンテナからの信号とを含む。
【００１７】
図２の代替実施形態は、伝送デューティサイクルに与えられる信号パラメータを制御することを含む。伝送計画やリンク通信要件のような、特定のＥＩＲＰを維持することに関係ない要因は、伝送デューティサイクルに影響し又は決めうる。固定したデューティサイクルが与えられると、複数のアンテナからの伝送信号が組み合わさって指向性のビームになるように、デューティサイクルの「アクティブ」な期間中特定の方向における伝送ＥＩＲＰが信号パラメータを調整することによって制御されうる。信号パラメータの選択（位相調整、振幅調整）が行われ、与えられ又は提供された固定のデューティサイクルによって制御される間、伝送平均ＥＩＲＰが既定の限界を超えないようにする。伝送信号は与えられたデューティサイクルを使ってパルスになる。このように、指向性ビームは、与えられたデューティサイクルの「アクティブ」期間の間作られる。一般に、ワイヤレス送信は、少なくとも部分的にタイムスロットに基づいて伝送を割り当てることのできる伝送スケジューラを含む。一般に、タイムスロットは固定された時間間隔である。デューティサイクルに利用可能なこの時間間隔は、利用可能な伝送スケジュールタイムスロットによって行われる。
【００１８】
他の好適実施形態は、ビーム形成アンテナの数を増やしたとき、アンテナに入る伝送信号の伝導電力の一定の又は増加しない合計を使用することを含む。つまり、与えられたトランシーバに対して、ビーム形成に使われるアンテナの数が伝送基準に基づいて変化しても、アンテナに入力される伝導電力の合計は一定値を保つ。Ｎ個のアンテナが指向性ビームを形成するのに使われうる。しかしながら、例えば、指向性ビームを形成するのに使われるアンテナの数を２倍にしても、アンテナに入力される全伝導電力を増加させない。アンテナの数を２倍にすることは、全伝導電力をビーム形成アンテナのそれぞれに入力させること、それによって伝送信号の伝導電力の合計を維持する（増加させない）ことを含む。
【００１９】
図３Ａは、デューティサイクルのオン期間の間の目標とする受信機に向けられる伝送信号の平均ＥＩＲＰを時系列に表したものである。図のように、例えば第１の受信機（Ｒ１）に向けられたビームのＥＩＲＰはパルスである。パルスの継続時間及びデューティサイクルは、ビームの平均ＥＩＲＰが既定の限界以下になるように設定されうる。しかしながら、デューティサイクルの「アクティブ」な期間の間ビームのＥＩＲＰは、平均ＥＩＲＰより高くすることができる。その結果、第１の受信機Ｒ１は、平均ＥＩＲＰの限界値より大きな電力を持った伝送信号を受け取る。（デューティサイクルによって決められる）時間間隔に対する伝送ＥＩＲＰは、ピーク電力が伝送される継続時間を減らすことによって特定の平均ＥＩＲＰを維持しながら、増加させることができる。逆に、（デューティサイクルによって決められる）時間間隔は、ビームの方向性の増分を減らすことによって特定の平均ＥＩＲＰを維持しながら、増加させることができる。
【００２０】
図３Ｂは、離れた場所にあるいくつかの目標とする受信機へ向けた伝送信号の平均ＥＩＲＰを時系列に表したものである。図のように、それぞれの受信機Ｒ１、Ｒ２、Ｒ３は、それらに向けられたパルスのビームの信号電力を受け取る。パルスの継続時間は、信号の平均ＥＩＲＰがどの空間方向においても規定の限界以下となるように、設定することができる。しかしながら、その方向を向いたビームの平均ＥＩＲＰはデューティサイクルの送信（「アクティブ」）期間の間もっと高くすることができる。その結果として、それぞれの受信機Ｒ１、Ｒ２、Ｒ３は、平均送信電力限界値に対応する受信電力より大きな電力を持った送信信号を受け取る。ここで留意すべきは、異なるビーム形成の設定は異なる方向に異なるＥＩＲＰを持ちうるということである。特定の方向において、平均ＥＩＲＰは、デューティサイクルの「アクティブ」な期間の間のＥＩＲＰより低く維持される。どの方向の平均ＥＩＲＰも、その方向に送信されるビーム形成強化電力、並びに電力がその方向に送信される継続時間及びデューティサイクルに依存する。
【００２１】
図４はマルチプルアンテナトランシーバのメッシュネットワークを示す。個々のトランシーバのそれぞれは図２の送信機２１０と類似した方法で作用する。図のように、それぞれのトランシーバ４１０、４２０、４３０、４４０は、ビームを形成する信号を目標となるトランシーバに向けて送信する複数のアンテナを含む。
【００２２】
トランシーバのそれぞれのマルチプルアンテナからの伝送信号は、伝送信号の所定の方向におけるＥＩＲＰが既定の限界を超えることを防ぐように制御される。それぞれのトランシーバに対し、信号パラメータは調整され、トランシーバの複数のアンテナからの伝送信号は他の特定のトランシーバに向けられるビームになる。伝送信号が特定のビーム形成パターンを生成するために制御される継続時間は、どんな方向においても合成伝送信号の平均ＥＩＲＰが既定の限界を超えないように制御される。
【００２３】
図５は、ゲインパターンを形成し、限界値以下の平均ＥＩＲＰを維持するため、マルチプルアンテナによって放射されるマルチプル信号を送信する方法を描いたフローチャートである。第１ステップ５１０は、複数のアンテナからの伝送信号が受信機に向かうビームになるように、信号パラメータを調整することを含む。第２ステップ５２０は、合成伝送信号の平均ＥＩＲＰが既定の限界を超えないように、伝送信号が制御され特定のビーム形成パターンを生成するための継続時間を制御することを含む。第３ステップ５３０は、複数のアンテナからの伝送信号が複数の受信機の異なる１つに向けられるビームになるように、信号パラメータを調整することを含む。第４ステップ５４０は、合成伝送信号の平均ＥＩＲＰが既定の限界を超えないように、伝送信号が向けられている継続時間を制御することを含む。
【００２４】
複数のアンテナのそれぞれは、伝送信号を放射し、放射された伝送信号の組み合わせはビームになる。マルチプルアンテナは、一般に１つの送信機に置かれるが、複数の伝送地点に置かれることができる。ビームの方向を調整する信号パラメータは、アンテナの伝送信号間の相対位相及び振幅を含みうる。伝送ビームの継続時間は信号パラメータによって制御されうる。例えば、送信機のアンテナに入力される複数の信号のうち少なくとも１つは、Ｎ個の相対位相設定を含むことができる。継続時間は、伝送信号間のそれぞれの相対位相設定を維持する時間を制御することによって、制御される。
【００２５】
図６は、別のマルチプルアンテナ送信機（トランシーバ）を示す。このトランシーバ６１０はアンテナセットを複数含み（例えば、アンテナの第１セット６３５、及びアンテナの第２セット６４５）、その中のそれぞれのセットは、（ビーム６１５、６２５のような）ビームを形成する伝送信号を放射することができる。ビーム６１５、６２５はそれぞれパルスであり、規定の限界以下に平均ＥＩＲＰを維持するように制御されつつ、パルスの「アクティブ」期間の間、平均レベルより大きなＥＩＲＰを提供することができる。
【００２６】
トランシーバ６２０はビーム６１５、６２５が集中する方向にあり、ビーム６１５、６２５のどちらが最良の伝送信号を提供するかを決めるのに選択基準が使われうる。この選択基準は、一般に、対応するビームの受け取った伝送信号の品質に基づく。受信信号のＳＮＲ、受信した伝送データのビット誤り率（ＢＥＲ）、受信した伝送データのパケット誤り率（ＰＥＲ）、及び／又はトランシーバ６１０とトランシーバ６２０との間のチャネル推定値のような、いくつかの信号の品質の要素のうち少なくとも１つを測定することにより、その品質は決定できる。トランシーバ６１０はまた、トランシーバ間の伝送方向において対称と思ってもよく（特に両方向における伝送が同一の伝送周波数の時）、アンテナのサブセット及び位相設定を選択し、トランシーバ６２０から受け取る信号に基づいてビームを作る。あるいは、トランシーバ６２０は、トランシーバ６１０のアンテナによって作られたどのビームがより好ましい（最高品質）ビームであるかを、トランシーバ６１０に返送することができる。
【００２７】
利用可能なアンテナの全数のサブセットが、選択基準に基づいて、データ伝送のためのビームの形成のため選ばれる。ひとたびサブセットが選ばれると、伝送信号は選択されたアンテナのサブセットを用いてビームになる。ビーム制御は伝送信号の信号パラメータを調整することにより行われ、伝送デューティサイクルは既定の平均ＥＩＲＰ限界を維持するように制御される。既に示したように、デューティサイクル（「アクティブ」期間と「非アクティブ」期間）は、１つ又はそれ以上の伝送信号の位相又は振幅を調整することによって制御することができる。
【００２８】
望ましいアンテナのサブセットの選択は、送信ダイバーシチに似ている。つまり、１つより多い伝送経路が利用可能である。選択された伝送経路は、最良の伝送品質を持つ伝送経路である。伝送品質は、受信信号のＳＮＲ、チャネル推定値、及びパケット誤り率を含む信号品質の様々な測定量を含みうる。
【００２９】
他の好適実施形態は、利用可能なアンテナの第２サブセット（例えば、アンテナの第２サブセット６４５）を選択することを含む。もし選択された第２サブセットが他の利用可能なアンテナのサブセットより（他の方向に配置されたトランシーバ６３０のような）特定の第２トランシーバに良好な伝送リンクを提供するならば、アンテナの第２サブセットは他のアンテナのサブセットに優先して選択されうる。利用可能なアンテナの全数からなる第２サブセットは、選択基準に基づき、データ伝送のため（ビーム６５５のような）ビームを形成するため選択される。ひとたび第２サブセットが選ばれると、伝送信号は選択されたアンテナの第２サブセットを用いて第２指向性ビームになる。第２指向性ビーム６５５の制御は第２伝送信号の信号パラメータを調整することによって行われ、伝送デューティサイクルは既定の平均ＥＩＲＰ限界を維持するように制御される。先に示したように、デューティサイクル（「アクティブ」期間及び「非アクティブ」期間）は、１又はそれより多い第２伝送信号の位相又は振幅を調整することによって制御できる。第２伝送信号が調整される継続時間は、平均ＥＩＲＰが既定の限界を超えないように制御される。
【００３０】
図７は図６のマルチプルアンテナ送信機を操作する方法を描いたフローチャートであり、送信機のアンテナが選択され、アンテナを伝わる伝送信号はビームになるように制御される。第１ステップ７１０は、アンテナの利用可能なサブセットのそれぞれによって作られるビームに関連した伝送信号品質に基づく伝送のためのアンテナのサブセットを選択することを含む。第２ステップは、選択されたアンテナのサブセットからの伝送信号が組み合わさって指向性ビームになるように信号パラメータを調整することを含む。第３ステップは、平均ＥＩＲＰが既定の限界を超えないように伝送信号が指向性を持って発信される継続時間を制御することを含む。
【００３１】
本発明の特定の実施形態を説明し、例示してきたが、本発明は説明し、例示された特定の形態又は部分の変形形態に限定されるものではない。本発明は、添付した特許請求の範囲によってのみ限定される。
【図面の簡単な説明】
【００３２】
【図１】先行技術のＵＷＢメッシュネットワークを示す図である。
【図２】マルチプルアンテナ送信機と複数の目標となる受信機とを示す図である。
【図３Ａ】目標となる受信機に向かう伝送信号の平均放射電力を描いた時系列図である。
【図３Ｂ】いくつかの目標となる受信機に向かう伝送信号の平均放射電力を描いた時系列図である。
【図４】マルチプルアンテナトランシーバのメッシュネットワークを示す図である。
【図５】ビームを目標となる受信機に向け、かつ、限界値以下の平均放射電力を維持するように組み合わさったマルチプル信号を伝送する方法を描いたフローチャートである。
【図６】別のマルチプルアンテナ送信機を示す図である。
【図７】送信機のアンテナが選択され、アンテナに入る伝送信号がビームになるよう制御されるように、図６のマルチプルアンテナ送信機を操作する方法描いたフローチャートである。
【図１】
2009507430.tif 000003
【図２】
2009507430.tif 000004
【図３Ａ】
2009507430.tif 000005
【図３Ｂ】
2009507430.tif 000006
【図４】
2009507430.tif 000007
【図５】
2009507430.tif 000008
【図６】
2009507430.tif 000009
【図７】
2009507430.tif 000010
【国際調査報告】
2009507430.tif 000011